(57)【要約】【課題】信号の伝送を安定して行うことができる電気コネクタを提供すること。【解決手段】本発明は、収容空間が形成されたインシュレータと、収容空間に向かって延出するように形成されるコンタクト部を有する接触アームと、テール部と、前記インシュレータに装着される複数の導電端子と、を含み、前記互いに隣接する導電端子が端子組からなり、端子組としてのあらゆる導電端子が同一な信号を伝送する。これにより、信号の伝送を安定して行うことができる。【選択図】図７
2007194198.tif 000002
【特許請求の範囲】
【請求項１】
収容空間が形成されたインシュレータと、
収容空間に向かって延出するように形成されるコンタクト部を有する接触アームと、
テール部と、前記インシュレータに装着される複数の導電端子と、を含み、ＦＰＣを連接するための電気コネクタにおいて、
前記互いに隣接する導電端子が端子組からなり、端子組としてのあらゆる導電端子が同一信号を伝送することを特徴とする電気コネクタ。
【請求項２】
前記異なる端子組の間の距離は、同一な端子組としての導電端子の間の距離より大きいことを特徴とする、請求項１に記載の電気コネクタ。
【請求項３】
前記各端子組は、第１端子と第２端子からなり、
第１端子と第２端子のコンタクト部は、ＦＰＣの前記収容空間への挿入方向に沿って前後に配列されることを特徴とする、請求項１に記載の電気コネクタ。
【請求項４】
前記各端子のテール部は、互いに離間するように配列されることを特徴とする、請求項１から請求項３までのいずれか１項に記載の電気コネクタ。
【請求項５】
前記端子は、前記接触アームに平行に対向する保持アームを有することを特徴とする、請求項１に記載の電気コネクタ。
【請求項６】
電気コネクタは、駆動部材を有し、
前記駆動部材は閉鎖状態と開放状態の間で回転可能に運動し、
前記駆動部材は開放状態においてＦＰＣを前記収容空間に挿入し、前記駆動部材が閉鎖状態においてＦＰＣを押圧して該ＦＰＣを前記導電端子に接続させることを特徴とする、請求項１から請求項５までのいずれか１項に記載の電気コネクタ。
【請求項７】
電気コネクタは、導電端子の両側に位置する係合部材を有し、
該係合部材は、
前記導電端子の接触アームと同一な方向に沿って延在する係止アームと、
ＦＰＣの前記収容空間への挿入方向に直交する方向でＦＰＣに係合するための係合面を有し、かつ前記係止アームに形成される凸部と、含むことを特徴とする、請求項６に記載の電気コネクタ。
【請求項８】
電気コネクタは、前記インシュレータから前記収容空間へ突設し、かつ前記導電端子の接触アームの延出方向に沿って延在するようにＦＰＣに係合するための突起を有し、
前記突起はＦＰＣを前記収容空間に挿入する方向に直交する方向に係合面を有することを特徴とする、請求項６に記載の電気コネクタ。
【発明の詳細な説明】
【技術分野】
【０００１】
本発明は、電気コネクタに関し、特に、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術の電気コネクタの一例として、特許文献１に開示された電気コネクタが知られ、この電気コネクタは、ＦＰＣを収容するための挿入空間が形成されるインシュレータと、インシュレータに装着される導電端子と、スライド部材と、保持部材と、を含む。前記スライド部材は、主体部と、主体部の両端部に形成される係合アームと、を有し、係合アームによりスライド部材がインシュレータに保持される。スライド部材は、開放状態と閉鎖状態の間で運動でき、閉鎖状態における際に、その主体部が挿入空間に収容されたＦＰＣを押圧して、ＦＰＣを導電端子に電気的に接続させる。
【特許文献１】米国特許登録第５，３５４，２１４号明細書
【発明の開示】
【発明が解決しようとする課題】
【０００３】
閉鎖状態において、前記インシュレータの収容空間に挿入したＦＰＣと導電端子のコンタクト部の間には、電気的な接続を達成できる。しかしながら、前記ＦＰＣの導電パッドと導電端子のコンタクト部は容易に酸化されるか又は汚れた箇所であるので、ＦＰＣが導電端子のコンタクト部に電気的に接続すると導電性が低下し、信号の伝送に影響を及ぼす恐れがある。そこで、上述した欠点に鑑みて、新型電気コネクタを開発することが必要である。
【０００４】
本発明は、信号の伝送を安定して行うことができる電気コネクタを提供することを目的とする。
【課題を解決するための手段】
【０００５】
前記目的を達成するために、本発明は、収容空間が形成されたインシュレータと、収容空間に向かって延在するように形成されるコンタクト部を有する接触アームと、テール部と、前記インシュレータに装着される複数の導電端子と、を含み、前記互いに隣接する導電端子が端子組からなり、端子組としてのあらゆる導電端子が同一信号を伝送する。
【発明の効果】
【０００６】
従来の技術に比べ、本発明は以下の長所がある。電気コネクタは、端子組としてのあらゆる導電端子が同一信号を伝送することにより、信号の伝送を安定して行うことができる。
【発明を実施するための最良の形態】
【０００７】
図１〜図８に基づいて、本発明の電気コネクタの第１実施形態について説明する。本実施形態において、電気コネクタは、プリント基板に実装され、インシュレータ１と、インシュレータ１に装着される複数の導電端子２と、スライド部材３と、係合部材４と、を含む。
【０００８】
図２を参照すると、前記インシュレータ１は、非導電材料で製作され、ＦＰＣを収容するための収容空間１０を有し、該収容空間１０は、第１壁１１と、第２壁１２と、該第１壁１１と第２壁１２を連接するための両側壁（参照符号なし）と、を含む。前記側壁には、スライド溝１４と、該スライド溝１４の一端部に形成される錠止凸部１５と、がそれぞれ形成される。インシュレータ１の第１壁１１と第２壁１２には、前記収容空間１０に連通する受容溝１３がそれぞれ形成される。
【０００９】
前記導電端子２は、インシュレータ１の受容溝１３に対応して装着され、第１端子２１と、第２端子２２と、を含み、その第１端子２１は、接触アーム２１１と、接触アーム２１１に平行に対向する保持アーム２１２と、プリント基板に接続するためのテール部と、を含む。接触アーム２１１の端部には、前記収容空間１０に挿入されたＦＰＣ５に接続するためのコンタクト部２１０が形成され、保持アーム２１２には、インシュレータ１に干渉し係合するための突起部（参照符号なし）が形成される。
【００１０】
第２端子２２の構造は第１端子２１の構造と略同一であり、接触アーム２２１と、接触アーム２２１に平行に対向する保持アーム２２２と、プリント基板に接続するためのテール部と、を含む。接触アーム２２１の端部には、前記収容空間１０に挿入されたＦＰＣ５に接続するためのコンタクト部２２０が形成され、保持アーム２２２には、インシュレータ１に干渉し係合するための突起部（参照符号なし）が形成される。第２端子２２と第１端子２１との異なる点は、第２端子２２の接触アーム２２１が第１端子２１の接触アーム２１１より長いことである。
【００１１】
図２に示すように、スライド部材３は、前記収容空間１０に挿入できる主体部３０と、主体部３０の両側から主体部３０に平行に延在し、かつ前記インシュレータ１の側壁に係合する係合アーム３１と、主体部３０と係合アーム３１に連接する連接部３２と、を含む。
【００１２】
図２乃至図５に示すように、係合部材４は、基部４０と、基部４０から延在するように形成され、インシュレータ１の第２壁１２に固持される固持アーム４２と、固持アーム４２に平行に対向し延在するように形成され、インシュレータ１の第１壁１１に収容される係止アーム４１と、基部４０の両端部に形成される半田付け部４３と、を含む。前記固持アーム４２には、インシュレータ１に干渉し係止するための突起部が形成される。係止アーム４１にはＦＰＣに係合する凸部４４が設けられ、この凸部４４には、ＦＰＣの挿入方向に直交する方向で延在するように形成される係合面４４０と、ＦＰＣの抜出を案内するための第１ガイド面４４１と、第１ガイド面４４１と係合面４４０を連接し、ＦＰＣの挿入を案内するための第２ガイド面４４２と、を具備する。
【００１３】
図２を参照すると、前記ＦＰＣ５の接触端部の両側には前記係合部材４の凸部４４に係合できる凸片５１が形成され、接触端部には、複数の導電パッド５０が形成される。
【００１４】
取り付ける際に、前記導電端子２と係合部材４は、インシュレータ１の後方からインシュレータ１に挿入され、係合部材４が導電端子２の両外側に位置する。前記導電端子２の接触アーム２１１、２２１と係合部材４の係止アーム４１は、インシュレータ１の第１壁１１に形成された受容溝１３に対応して収容され、導電端子２の保持アーム２１２、２２２と係合部材４の固持アーム４２は、インシュレータ１の第２壁１２に形成された受容溝１３に対応して収容される。前記第１端子２１と第２端子２２は、対をなすように交互に並設される。
【００１５】
図３及び図７を参照すると、互いに隣接する第１端子２１と第２端子が端子組からなり、端子組としての導電端子が同一信号を伝送し、前記第１端子２１のコンタクト部２１０と第２端子２２のコンタクト部２２０の長さが異なり、ＦＰＣ５の挿入方向に前後に配列され、各端子組のコンタクト部２１０、２２０がＦＰＣ５の同じ導電パッドに接続し、各対導電端子２のテール部はプリント基板の同じ導電パッドに接続し、これにより、各対の端子組は同一信号を伝送し、信号の伝送を安定して行うことができる。
【００１６】
前記スライド部材３が、インシュレータ１の前方から収容空間１０に挿入され、その係合アーム３１がインシュレータ１の側壁に形成された錠止凸部１５に係合してスライド溝１４内でスライドして、これにより、スライド部材３がインシュレータ１に組み付けられ、且つ、前記スライド溝１４でスライドすることにより、開放状態と閉鎖状態の間で運動できる。図３及び図６に示す閉鎖状態の際には、スライド部材３の主体部３０がインシュレータ１の収容空間１０に収容される。係合アーム３１にはロック部（参照符号なし）が形成され、スライド部材３が開放状態の場合に、前記ロック部が錠止凸部１５に係止することにより、スライド部材３がインシュレータ１から外れることを防止できる。
【００１７】
図８を参照すると、インシュレータ１の第１壁１１の係合部材４を収容する溝の傍に突起１００が形成され、該突起１００は、インシュレータ１と一体成形され、ＦＰＣの挿入方向に直交する係合面１００１が設けられる。係合面１００１と係合部材４の凸部４４は係合面４４０により、ＦＰＣの接触端部に係合する。ＦＰＣの挿入方向に直交する方向で、係合面１００１の高さは、係合部材４が自由状態における係合面４４０の高さより低く、または係合部材４が自由状態における係合面４４０の高さと等しい。
【００１８】
使用状態において、まずスライド部材３が開放状態になると、ＦＰＣ５がスライド部材３の主体部３０に沿って収容空間１０に挿入され、その接触端部が係合面４４０の裏側に位置する。次に、図６に示すように、スライド部材３を閉鎖状態に押圧して、スライド部材３の主体部３０によりＦＰＣ５は係合部材４の固持アーム４１に向かって移動して導電端子２の接触アーム２１１、２２１に圧接され、更に、導電端子２のコンタクト部２１０、２２０がＦＰＣ５の導電パッド５１に接続され、且つＦＰＣ５の接触端部が係合面４４０、１００１に係合する。
【００１９】
ＦＰＣ５の一導電パッド５０に第１端子２１のコンタクト２１０と第２端子２２のコンタクト２２０が同時接続するので、導電パッド５０に汚れた箇所又は酸化した箇所があることを原因として、該導電パッド５０とその中の一コンタクト部の接続が安定しなくても、他のコンタクト部が該導電パッド５０と正常に接続することにより、信号伝送の安定性が高められる。また、ＦＰＣ５の接触端部が係合部材４の係合面４４０に係止することにより、ＦＰＣ５のインシュレータ１の収容空間１０からの脱落を防止でき、信号伝送の安定性を高められる。
【００２０】
図９を参照すると、本発明の電気コネクタの第２実施形態について説明する。該電気コネクタは、プリント基板に直交に実装され、インシュレータ１と、インシュレータ１に装着される複数の導電端子２と、を含み、インシュレータ１にＦＰＣを収容するための収容空間１０と、該収容空間１０に連通し、導電端子２を装着されるための受容溝１３と、が形成される。導電端子２は、前記収容空間１０へ延在し、ＦＰＣに接続するための接触アームと、プリント基板に接続するためのテール部と、を含む。複数の導電端子２は対をなすように交互に並設され、ＦＰＣを収容空間１０に挿入した際に、各対導電端子２の接触アームがＦＰＣの同一な導電パッドに接続され、各対導電端子２のテール部がプリント基板の同一な導電パッドに半田付けされる。
【００２１】
図１０及び図１１を参照し、本発明の電気コネクタの第３実施形態について説明する。該電気コネクタは、インシュレータ１と、インシュレータ１に装着される複数の導電端子２と、インシュレータ１に回転可能に組み付けられるアクチュエータ６と、を含む。また、該電気コネクタは、第１実施形態と同じ係合部材及び突起を含む。インシュレータ１にＦＰＣを収容するための収容空間１０と、該収容空間１０に連通し、かつ導電端子２を装着するための受容溝１３と、が形成される。前記導電端子２は、収容空間１０に延在し、ＦＰＣに接続するための接触アーム２４と、該接触アーム２４に平行に延在するように形成される枢支アーム２３と、プリント基板に接続するためのテール部と、を含む。前記アクチュエータ６は、押圧部６１と、前記導電端子２の枢支アーム２３に回転可能に係合する枢支部６２と、インシュレータ１の端部に組み付けられる軸部６３と、を含む。
【００２２】
前記アクチュエータ６が開放状態になると、ＦＰＣが収容空間１０に挿入され、アクチュエータ６を閉鎖状態に回転させ、押圧部６１がＦＰＣを押圧することにより、ＦＰＣと導電端子２の接触アーム２１の間に電気的な接続を達成できる。互いに隣接する第１端子２１と第２端子が端子組からなり、端子組としての第１端子２１と第２端子２２のコンタクト部２１０、２２０がＦＰＣ５を挿入する方向に前後に配列され、ＦＰＣ５の同じ導電パッドに接続され、各対導電端子２のテール部はプリント基板の同じ導電パッドに接続され、これにより、各対の端子組が同一信号を伝送し、信号の伝送を安定して行うことができる。
【００２３】
前記第１実施形態と第３状態との異なる点は、第１実施形態では、スライド部材３によりＦＰＣを導電端子に接続させる一方で、第３実施形態では、アクチュエータ６によりＦＰＣを導電端子に接続させる点である。前記スライド部材３とアクチュエータ６は、総称して駆動部材と呼ぶことができる。また、前記係合部材と突起は、総称してロック部材と呼ぶことができる。
【００２４】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００２５】
【図１】スライド部材が閉鎖状態にあるときの、本発明における第１実施形態の電気コネクタの組立斜視図である。
【図２】図１に示す第１実施形態の電気コネクタの分解斜視図である。
【図３】図１に示す第１実施形態の電気コネクタのＩＩＩ−ＩＩＩ線で切断した断面であり、スライド部材が閉鎖状態にあるときの断面図である。
【図４】図１に示す第１実施形態の電気コネクタのＩＶ−ＩＶ線で切断した断面であり、スライド部材が外すときの断面図である。
【図５】図１に示す第１実施形態の電気コネクタのＩＶ−ＩＶ線で切断した断面であり、スライド部材が開放状態において、ＦＰＣをインシュレータに挿入するときの断面図である。
【図６】図１に示す第１実施形態の電気コネクタのＩＶ−ＩＶ線で切断した断面であり、スライド部材が閉鎖状態において、ＦＰＣをインシュレータに挿入したときの断面図である。
【図７】図１に示す第１実施形態の電気コネクタの導電端子がＦＰＣに接続するときの斜視図である。
【図８】図１に示す第１実施形態の電気コネクタの切断した斜視図であり、突起と係合部材の構造を示す斜視図である。
【図９】本発明に係る電気コネクタの第２実施形態の組合せ斜視図である。
【図１０】アクチュエータが開放状態にあるときの、第３実施形態の電気コネクタの組合せ斜視図である。
【図１１】図１０に示す第３実施形態の電気コネクタのＸ−Ｘで切断した断面であり、アクチュエータが閉鎖状態にあるときの断面図である。
【符号の説明】
【００２６】
１  インシュレータ
２  導電端子
３  スライド部材
４  係合部材
５  ＦＰＣ
６  アクチュエータ
１０  収容空間
１１  第１壁
１２  第２壁
１３  受容溝
１４  スライド溝
１５  錠止凸部
２１  第１端子
２２  第２端子
２３  枢支アーム
２４、２１１、２２１  接触アーム
３０  主体部
３１  係合アーム
３２  連接部
４０  基部
４１  係止アーム
４２  固持アーム
４３  半田付け部
４４  凸部
５０  導電パッド
５１  凸片
６１  押圧部
６２  枢支部
６３  軸部
１００  突起
２１０、２２０  コンタクト部
２１２、２２２  保持アーム
４４０、１００１  係合面
４４１  第１ガイド面
４４２  第２ガイド面
【図１】
2007194198.tif 000003
【図２】
2007194198.tif 000004
【図３】
2007194198.tif 000005
【図４】
2007194198.tif 000006
【図５】
2007194198.tif 000007
【図６】
2007194198.tif 000008
【図７】
2007194198.tif 000009
【図８】
2007194198.tif 000010
【図９】
2007194198.tif 000011
【図１０】
2007194198.tif 000012
【図１１】
2007194198.tif 000013